(57)【要約】通信するために、リソース・ブロックの一部を、電力制限されたデバイスへ割り当てることを容易にする方法および装置が提供される。電力制限されたデバイスは、電力制限によって、リソース・ブロックの全体で送信できる訳ではない。したがって、リソース・ブロックの一部が割り当てられ、リソース・ブロックによる通信を最適化するために、少なくとも１つの別のデバイスへ、リソース・ブロックの少なくとも別の部分を割り当てることを可能にする。さらに、例えばボイス・オーバ・インターネット・プロトコル（ＶｏＩＰ）のように、時間に影響を受けるデータの効率的な通信を可能にするために、１または複数のバンドルされた時間送信インタバル（ＴＴＩ）にわたって、リソース・ブロックの一部が割り当てられうる。
2013517692.tif 000002
【特許請求の範囲】
【請求項１】
割り当てられたリソースで通信するための方法であって、
複数のバンドルされた送信時間インタバル（ＴＴＩ）において、リソース・ブロックの一部を備えるリソース割当を受信することと、
前記リソース割当にしたがって、前記複数のバンドルされたＴＴＩにおいて、前記リソース・ブロックの一部で信号を送信することと、
を備える方法。
【請求項２】
前記リソース割当を受信することは、前記リソース・ブロック、または、前記リソース割当におけるリソース・ブロックの一部が、前記複数のバンドルされたＴＴＩのうちの別の１つとは異なる、前記複数のバンドルされたＴＴＩのうちの少なくとも１つにおいて異なる場合に、前記リソース割当を受信することを含む、請求項１に記載の方法。
【請求項３】
前記リソース割当を受信することは、前記リソース・ブロック、または、前記リソース割当におけるリソース・ブロックの一部が、前記複数のバンドルされたＴＴＩのうちの少なくとも１つにおける少なくとも異なる部分以外の、前記複数のバンドルされたＴＴＩのうちの少なくとも１つのうちの少なくとも一部において異なる場合に、前記リソース割当を受信することを含む、請求項１に記載の方法。
【請求項４】
前記リソース割当を受信することは、前記リソース割当の複数のバンドルされたＴＴＩが、別のラジオ・フレーム以外の１つのラジオ・フレームにおいて異なる場合に、前記リソース割当を受信することを含む、請求項１に記載の方法。
【請求項５】
前記複数のバンドルされたＴＴＩにおいて、前記リソース・ブロックの一部で送信された信号に関連するフィードバックを受信するためのリソースを示すインジケーションを受信することと、
前記リソースでフィードバックを受信することと、
をさらに備える請求項１に記載の方法。
【請求項６】
割り当てられたリソースで通信する装置であって、
複数のバンドルされた送信時間インタバル（ＴＴＩ）において、リソース・ブロックの一部を備えるリソース割当を取得し、
前記リソース割当にしたがって、前記複数のバンドルされたＴＴＩにおいて、前記リソース・ブロックの一部で信号を送信する
ように構成された少なくとも１つのプロセッサと、
前記少なくとも１つのプロセッサに接続されたメモリと、
を備える装置。
【請求項７】
前記リソース・ブロック、または、前記リソース割当におけるリソース・ブロックの一部は、前記複数のバンドルされたＴＴＩのうちの別の１つにおけるもの以外の、前記複数のバンドルされたＴＴＩのうちの少なくとも１つにおいて異なる、請求項６に記載の装置。
【請求項８】
前記リソース・ブロック、または、前記リソース割当におけるリソース・ブロックの一部は、前記複数のバンドルされたＴＴＩのうちの少なくとも１つにおける少なくとも異なる部分以外の、前記複数のバンドルされたＴＴＩのうちの少なくとも１つのうちの少なくとも一部において異なる、請求項６に記載の装置。
【請求項９】
前記リソース割当の複数のバンドルされたＴＴＩは、別のラジオ・フレーム以外の１つのラジオ・フレームにおいて異なる、請求項６に記載の装置。
【請求項１０】
前記少なくとも１つのプロセッサはさらに、前記複数のバンドルされたＴＴＩにおいて、前記リソース・ブロックの一部で送信された信号に関連するフィードバックを受信するためのリソースを示すインジケーションを受信し、前記リソースでフィードバックを受信するように構成された、請求項６に記載の装置。
【請求項１１】
割り当てられたリソースで通信するための装置であって、
複数のバンドルされた送信時間インタバル（ＴＴＩ）において、リソース・ブロックの一部を備えるリソース割当を受信する手段と、
前記リソース割当にしたがって、前記複数のバンドルされたＴＴＩにおいて、前記リソース・ブロックの一部で信号を送信する手段と、
を備える装置。
【請求項１２】
前記リソース・ブロック、または、前記リソース割当におけるリソース・ブロックの一部は、前記複数のバンドルされたＴＴＩのうちの別の１つにおけるもの以外の、前記複数のバンドルされたＴＴＩのうちの少なくとも１つにおいて異なる、請求項１１に記載の装置。
【請求項１３】
前記リソース・ブロック、または、前記リソース割当におけるリソース・ブロックの一部は、前記複数のバンドルされたＴＴＩのうちの少なくとも１つにおける少なくとも異なる部分以外の、前記複数のバンドルされたＴＴＩのうちの少なくとも１つのうちの少なくとも一部において異なる、請求項１１に記載の装置。
【請求項１４】
前記リソース割当の複数のバンドルされたＴＴＩは、別のラジオ・フレーム以外の１つのラジオ・フレームにおいて異なる、請求項１１に記載の装置。
【請求項１５】
前記送信された信号に関連するフィードバックを受信する手段をさらに備え、
前記リソース割当を受信する手段はさらに、前記フィードバックが受信されるリソースを示すインジケーションを受信する、請求項１１に記載の装置。
【請求項１６】
割り当てられたリソースで通信するためのコンピュータ・プログラム製品であって、
少なくとも１つのコンピュータに対して、複数のバンドルされた送信時間インタバル（ＴＴＩ）において、リソース・ブロックの一部を備えるリソース割当を取得させるためのコードと、
前記少なくとも１つのコンピュータに対して、前記リソース割当にしたがって、前記複数のバンドルされたＴＴＩにおいて、前記リソース・ブロックの一部で信号を送信させるためのコードと、
を備えるコンピュータ読取可能な媒体、を備えるコンピュータ・プログラム製品。
【請求項１７】
前記リソース・ブロック、または、前記リソース割当におけるリソース・ブロックの一部は、前記複数のバンドルされたＴＴＩのうちの別の１つにおけるもの以外の、前記複数のバンドルされたＴＴＩのうちの少なくとも１つにおいて異なる、請求項１６に記載のコンピュータ・プログラム製品。
【請求項１８】
前記リソース・ブロック、または、前記リソース割当におけるリソース・ブロックの一部は、前記複数のバンドルされたＴＴＩのうちの少なくとも１つにおける少なくとも異なる部分以外の、前記複数のバンドルされたＴＴＩのうちの少なくとも１つのうちの少なくとも一部において異なる、請求項１６に記載のコンピュータ・プログラム製品。
【請求項１９】
前記リソース割当の複数のバンドルされたＴＴＩは、別のラジオ・フレーム以外の１つのラジオ・フレームにおいて異なる、請求項１６に記載のコンピュータ・プログラム製品。
【請求項２０】
前記コンピュータ読取可能な媒体はさらに、
前記少なくとも１つのコンピュータに対して、前記複数のバンドルされたＴＴＩにおいて、前記リソース・ブロックの一部で送信された信号に関連するフィードバックを受信するためのリソースを示すインジケーションを受信させるためのコードと、
前記少なくとも１つのコンピュータに対して、前記リソースでフィードバックを受信させるためのコードと
を備える、請求項１６に記載のコンピュータ・プログラム製品。
【請求項２１】
割り当てられたリソースで通信するための装置であって、
複数のバンドルされた送信時間インタバル（ＴＴＩ）において、リソース・ブロックの一部を備えるリソース割当を取得するためのリソース割当受信構成要素と、
前記リソース割当にしたがって、前記複数のバンドルされたＴＴＩで、前記リソース・ブロックの一部で信号を送信するための送信構成要素と、
を備える装置。
【請求項２２】
前記リソース・ブロック、または、前記リソース割当におけるリソース・ブロックの一部は、前記複数のバンドルされたＴＴＩのうちの別の１つにおけるもの以外の、前記複数のバンドルされたＴＴＩのうちの少なくとも１つにおいて異なる、請求項２１に記載の装置。
【請求項２３】
前記リソース・ブロック、または、前記リソース割当におけるリソース・ブロックの一部は、前記複数のバンドルされたＴＴＩのうちの少なくとも１つにおける少なくとも異なる部分以外の、前記複数のバンドルされたＴＴＩのうちの少なくとも１つのうちの少なくとも一部において異なる、請求項２１に記載の装置。
【請求項２４】
前記リソース割当の複数のバンドルされたＴＴＩは、別のラジオ・フレーム以外の１つのラジオ・フレームにおいて異なる、請求項２１に記載の装置。
【請求項２５】
前記送信された信号に関連するフィードバックを受信するためのフィードバック受信構成要素をさらに備え、
前記リソース割当受信構成要素はさらに、前記フィードバックが受信されるリソースを示すインジケーションを受信する、請求項２１に記載の装置。
【請求項２６】
１または複数のデバイスにリソースを割り当てるための方法であって、
１または複数のバンドルされた時間送信インタバル（ＴＴＩ）のうちの少なくとも１つにおいて、デバイスに割り当てるためのリソース・ブロックの一部を決定することと、
前記デバイスに、前記リソース・ブロックの一部を示すインジケーションを送信することと、
を備える方法。
【請求項２７】
前記１または複数のバンドルされたＴＴＩのうちの異なる１つにおいて、前記デバイスに割り当てるためのリソース・ブロックの別の一部、または別のリソース・ブロックを決定することをさらに備える、請求項２６に記載の方法。
【請求項２８】
前記リソース・ブロックの一部は、前記１または複数のバンドルされたＴＴＩのうちの少なくとも１つにおける異なる部分以外の、前記１または複数のバンドルされたＴＴＩのうちの少なくとも１つのうちの少なくとも一部において異なる、請求項２６に記載の方法。
【請求項２９】
前記デバイスにおいて、前記リソース・ブロックの一部に関連するフィードバックを受信するために、前記デバイスへ、異なるリソース・ブロックの一部を割り当てることをさらに備える、請求項２６に記載の方法。
【請求項３０】
前記割り当てることは、前記デバイスへ割り当てるためのリソース・ブロックの一部に少なくとも部分的に基づく、請求項２９に記載の方法。
【請求項３１】
前記デバイスが電力制限されているかを判定することをさらに備え、
前記リソース・ブロックの一部を決定することは、前記デバイスが電力制限されていると判定することに少なくとも部分的に基づく、請求項２６に記載の方法。
【請求項３２】
１または複数のデバイスにリソースを割り当てるための装置であって、
１または複数のバンドルされた時間送信インタバル（ＴＴＩ）のうちの少なくとも１つにおいて、デバイスに割り当てるためのリソース・ブロックの一部を決定し、
前記デバイスに、前記リソース・ブロックの一部を示すインジケーションを送信するように構成された少なくとも１つのプロセッサと、
前記少なくとも１つのプロセッサに接続されたメモリと、
を備える装置。
【請求項３３】
前記少なくとも１つのプロセッサはさらに、前記１または複数のバンドルされたＴＴＩのうちの異なる１つにおいて、前記デバイスに割り当てるためのリソース・ブロックの別の一部、または別のリソース・ブロックを決定するように構成された、請求項３２に記載の装置。
【請求項３４】
前記リソース・ブロックの一部は、前記１または複数のバンドルされたＴＴＩのうちの少なくとも１つにおける異なる部分以外の、前記１または複数のバンドルされたＴＴＩのうちの少なくとも１つのうちの少なくとも一部において異なる、請求項３２に記載の装置。
【請求項３５】
前記少なくとも１つのプロセッサはさらに、前記デバイスにおいて、前記リソース・ブロックの一部に関連するフィードバックを受信するために、前記デバイスへ、異なるリソース・ブロックの一部を割り当てるように構成された、請求項３２に記載の装置。
【請求項３６】
前記少なくとも１つのプロセッサは、前記デバイスへ割り当てるためのリソース・ブロックの一部に少なくとも部分的に基づいて、前記異なるリソース・ブロックの一部を割り当てる、請求項３５に記載の装置。
【請求項３７】
前記少なくとも１つのプロセッサはさらに、前記デバイスが電力制限されていることを判定するように構成され、
前記少なくとも１つのプロセッサは、前記デバイスが電力制限されていると判定することに少なくとも部分的に基づいて、前記リソース・ブロックの一部を決定する、請求項３２に記載の装置。
【請求項３８】
１または複数のデバイスにリソースを割り当てるための装置であって、
１または複数のバンドルされた時間送信インタバル（ＴＴＩ）のうちの少なくとも１つにおいて、デバイスに割り当てるためのリソース・ブロックの一部を決定する手段と、
前記デバイスに、前記リソース・ブロックの一部を示すインジケーションを送信する手段と、
を備える装置。
【請求項３９】
前記決定する手段は、前記１または複数のバンドルされたＴＴＩのうちの異なる１つにおいて、前記デバイスに割り当てるためのリソース・ブロックの別の一部、または別のリソース・ブロックを決定する、請求項３８に記載の装置。
【請求項４０】
前記リソース・ブロックの一部は、前記１または複数のバンドルされたＴＴＩのうちの少なくとも１つにおける異なる部分以外の、前記１または複数のバンドルされたＴＴＩのうちの少なくとも１つのうちの少なくとも一部において異なる、請求項３８に記載の装置。
【請求項４１】
前記決定する手段は、前記デバイスにおいて、前記リソース・ブロックの一部に関連するフィードバックを受信するために、前記デバイスへ、異なるリソース・ブロックの一部を割り当てる、請求項３８に記載の装置。
【請求項４２】
前記決定する手段は、前記デバイスに割り当てるためのリソース・ブロックの一部に少なくとも部分的に基づいて、前記異なるリソース・ブロックの一部を割り当てる、請求項４１に記載の装置。
【請求項４３】
前記デバイスが電力制限されていると判定する手段をさらに備え、
前記決定する手段は、前記デバイスが電力制限されていると判定することに少なくとも部分的に基づいて、前記リソース・ブロックの一部を決定する、請求項３８に記載の装置。
【請求項４４】
１または複数のデバイスにリソースを割り当てるためのコンピュータ・プログラム製品であって、
少なくとも１つのコンピュータに対して、１または複数のバンドルされた時間送信インタバル（ＴＴＩ）のうちの少なくとも１つにおいて、デバイスに割り当てるためのリソース・ブロックの一部を決定させるためのコードと、
前記少なくとも１つのコンピュータに対して、前記デバイスに、リソース・ブロックの一部を示すインジケーションを送信させるためのコードと、
を備えるコンピュータ読取可能な媒体、を備えるコンピュータ・プログラム製品。
【請求項４５】
前記コンピュータ読取可能な媒体はさらに、前記少なくとも１つのコンピュータに対して、前記１または複数のバンドルされたＴＴＩのうちの異なる１つにおいて、前記デバイスに割り当てるためのリソース・ブロックの別の一部、または別のリソース・ブロックを決定させるためのコードを備える、請求項４４に記載のコンピュータ・プログラム製品。
【請求項４６】
前記リソース・ブロックの一部は、前記１または複数のバンドルされたＴＴＩのうちの少なくとも１つにおける異なる部分以外の、前記１または複数のバンドルされたＴＴＩのうちの少なくとも１つのうちの少なくとも一部において異なる、請求項４４に記載のコンピュータ・プログラム製品。
【請求項４７】
前記コンピュータ読取可能な媒体はさらに、前記少なくとも１つのコンピュータに対して、前記デバイスにおいて、前記リソース・ブロックの一部に関連するフィードバックを受信するために、前記デバイスへ、異なるリソース・ブロックの一部を割り当てさせるためのコードを備える、請求項４４に記載のコンピュータ・プログラム製品。
【請求項４８】
前記少なくとも１つのコンピュータに対して割り当てさせるためのコードは、前記デバイスへ割り当てるためのリソース・ブロックの一部に少なくとも部分的に基づいて、前記異なるリソース・ブロックの一部を割り当てる、請求項４７に記載のコンピュータ・プログラム製品。
【請求項４９】
前記コンピュータ読取可能な媒体はさらに、前記少なくとも１つのコンピュータに対して、前記デバイスが電力制限されていることを判定させるためのコードを備え、
前記少なくとも１つのコンピュータに対して、前記リソース・ブロックの一部を決定させるためのコードは、前記デバイスが電力制限されていると判定することに少なくとも部分的に基づいて、前記リソース・ブロックの一部を決定する、請求項４４に記載のコンピュータ・プログラム製品。
【請求項５０】
１または複数のデバイスにリソースを割り当てるための装置であって、
１または複数のバンドルされた時間送信インタバル（ＴＴＩ）のうちの少なくとも１つにおいて、デバイスに割り当てるためのリソース・ブロックの一部を決定するためのリソース割当決定構成要素と、
前記デバイスに、前記リソース・ブロックの一部を示すインジケーションを送信するためのリソース割当構成要素と、
を備える装置。
【請求項５１】
前記リソース割当決定構成要素は、前記１または複数のバンドルされたＴＴＩのうちの異なる１つにおいて、前記デバイスに割り当てるためのリソース・ブロックの別の一部、または別のリソース・ブロックを決定する、請求項５０に記載の装置。
【請求項５２】
前記リソース・ブロックの一部は、前記１または複数のバンドルされたＴＴＩのうちの少なくとも１つにおける異なる部分以外の、前記１または複数のバンドルされたＴＴＩのうちの少なくとも１つのうちの少なくとも一部において異なる、請求項５０に記載の装置。
【請求項５３】
前記リソース割当決定構成要素は、前記デバイスにおいて、前記リソース・ブロックの一部に関連するフィードバックを受信するために、前記デバイスへ、異なるリソース・ブロックの一部を割り当てる、請求項５０に記載の装置。
【請求項５４】
前記リソース割当決定構成要素は、前記デバイスに割り当てるためのリソース・ブロックの一部に少なくとも部分的に基づいて、前記異なるリソース・ブロックの一部を割り当てる、請求項５３に記載の装置。
【請求項５５】
前記デバイスが電力制限されていることを判定するための電力制限デバイス判定構成要素をさらに備え、
前記リソース割当決定構成要素は、前記デバイスが電力制限されていると判定することに少なくとも部分的に基づいて、前記リソース・ブロックの一部を決定する、請求項５０に記載の装置。
【発明の詳細な説明】
【優先権主張】
【０００１】
本特許出願は、「ＬＴＥ  ＶＯＩＰのためのバンドルされたＦＤＭ構造」（BUNDLED FDM STRUCTURE FOR LTE VOIP）と題された２０１０年１月１２日出願の米国特許仮出願６１／２９４，３５１号に対する優先権を主張する。この仮出願は、本明細書の譲受人に譲渡され、本明細書に参照によって明確に組み込まれている。
【技術分野】
【０００２】
以下の記載は、一般に、無線ネットワーク通信に関し、さらに詳しくは、送信リソースを割り当てること、および／または、利用することに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）、イボリューション・データ・オプティマイズド（ＥＶ−ＤＯ）等のような仕様に準拠しうる。
【０００４】
一般に、無線多元接続通信システムは、複数のモバイル・デバイスのための通信を同時にサポートしうる。モバイル・デバイスはおのおのの、順方向リンクおよび逆方向リンクによる送信を介して１または複数の基地局と通信しうる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・トゥ・ピア無線ネットワーク構成で、他のモバイル・デバイスと（および／または基地局が他の基地局と）通信しうる。
【０００５】
さらに、例えばリリース８およびリリース９のようなＬＴＥのいくつかのリリースでは、通信リソースは、時分割多重化を用いて割り当てられ、これによって、基地局は、多くのリソース要素（またはサブキャリア）を、例えばサブフレームや、その一部のような所与の１ミリ秒（ｍｓ）の時間送信インタバル（ＴＴＩ）にわたって含むリソース・ブロックを割り当てることができる。所与の送信のために、デバイスにおいて、ハイブリッド自動反復／要求（ＨＡＲＱ）フィードバックを受信することを可能にするために、デバイスは、少なくともその後８ＴＴＩ（例えば、８ｍｓ）、追加のリソース・ブロックを割り当てられうる。しかしながら、デバイスが電力制限されている場合、リソース・ブロック全体が割り当てられていても、送信のためにリソース・ブロック全体を利用することができないことがある。さらに、この点に関し、電力制限されたデバイスは、電力制限によって低下したデータ・レートで送信する。これは、例えばボイス・オーバ・インターネット・プロトコルのような時間に影響を受ける通信に対して問題を引き起こす。さらに、いくつかの解決策は、電力制限されたデバイスが、一定の時間レートで送信できるように、時間に影響を受ける通信について、このデバイスに、ＴＴＩバンドルでリソース・ブロックを割り当てることを提案している。
【発明の概要】
【０００６】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００７】
１または複数の実施形態および対応する開示によれば、さまざまな態様は、電力制限されたデバイスへ、１または複数の時間送信インタバル（ＴＴＩ）で、リソース・ブロックの一部を割り当てることを容易にすることに関して記載される。これは、例えば、サブフレームでありうる。リソース・ブロックのその他の部分は、リソース・ブロック内の帯域幅利用を最適化するために、他の電力制限されたデバイスへ割り当てられうる。さらに、一例では、ＴＴＩがバンドルされ、電力制限されたデバイスは、バンドルされたＴＴＩで、リソース・ブロックの他の部分を利用する他の電力制限されたデバイスとともに、リソース・ブロックの一部を利用するために、複数のＴＴＩを割り当てられうる。
【０００８】
例によれば、複数のバンドルされたＴＴＩで、リソース・ブロックの一部を備えるリソース割当を受信することを含む、割り当てられたリソースで通信するための方法が提供される。この方法はさらに、このリソース割当にしたがって、複数のバンドルされたＴＴＩにおいて、リソース・ブロックの一部で信号を送信することを含む。
【０００９】
別の態様では、複数のバンドルされたＴＴＩにおいて、リソース・ブロックの一部を備えるリソース割当を取得するように構成された少なくとも１つのプロセッサを含み、割り当てられたリソースで通信するための装置が提供される。少なくとも１つのプロセッサはさらに、このリソース割当にしたがって、複数のバンドルされたＴＴＩにおいて、リソース・ブロックの一部で信号を送信するように構成される。さらに、この装置は、少なくとも１つのプロセッサに接続されたメモリを含む。
【００１０】
また別の態様では、複数のバンドルされたＴＴＩにおいて、リソース・ブロックの一部を備えるリソース割当を受信する手段を含み、割り当てられたリソースで通信するための装置が提供される。この装置はさらに、このリソース割当にしたがって、複数のバンドルされたＴＴＩにおいて、リソース・ブロックの一部で信号を送信する手段を含む。
【００１１】
また、別の態様では、少なくとも１つのコンピュータに対して、複数のバンドルされたＴＴＩにおいて、リソース・ブロックの一部を備えるリソース割当を取得させるためのコードを有するコンピュータ読取可能な媒体を含み、割り当てられたリソースで通信するためのコンピュータ・プログラム製品が提供される。このコンピュータ読取可能な媒体はさらに、少なくとも１つのコンピュータに対して、このリソース割当にしたがって、複数のバンドルされたＴＴＩにおいて、リソース・ブロックの一部で信号を送信させるためのコードを含む。
【００１２】
さらに、態様では、複数のバンドルされたＴＴＩにおいて、リソース・ブロックの一部を備えるリソース割当を取得するためのリソース割当受信構成要素を含み、割り当てられたリソースで通信するための装置が提供される。この装置はさらに、このリソース割当にしたがって、複数のバンドルされたＴＴＩで、リソース・ブロックの一部で信号を送信するための送信構成要素を含む。
【００１３】
別の例によれば、１または複数のバンドルされたＴＴＩのうちの少なくとも１つにおいて、デバイスに割り当てるためのリソース・ブロックの一部を決定することと、デバイスに、リソース・ブロックの一部を示すインジケーションを送信することと、ことを含み、１または複数のデバイスへリソースを割り当てるための方法が提供される。
【００１４】
別の態様では、１または複数のバンドルされたＴＴＩのうちの少なくとも１つにおいて、デバイスに割り当てるためのリソース・ブロックの一部を決定するように構成された少なくとも１つのプロセッサを含み、１または複数のデバイスへリソースを割り当てるための装置が提供される。少なくとも１つのプロセッサはさらに、デバイスに、リソース・ブロックの一部を示すインジケーションを送信するように構成される。さらに、この装置は、少なくとも１つのプロセッサに接続されたメモリを含む。
【００１５】
また別の態様では、１または複数のバンドルされたＴＴＩのうちの少なくとも１つにおいて、デバイスに割り当てるためのリソース・ブロックの一部を決定する手段を含み、１または複数のデバイスへリソースを割り当てるための装置が提供される。この装置はさらに、デバイスに、リソース・ブロックの一部を示すインジケーションを送信する手段含む。
【００１６】
さらに別の態様では、少なくとも１つのコンピュータに対して、１または複数のバンドルされたＴＴＩのうちの少なくとも１つにおいて、デバイスに割り当てるためのリソース・ブロックの一部を決定させるためのコードを有するコンピュータ読取可能な媒体を含み、１または複数のデバイスにリソースを割り当てるためのコンピュータ・プログラム製品が提供される。コンピュータ読取可能な媒体はさらに、少なくとも１つのコンピュータに対して、デバイスに、リソース・ブロックの一部を示すインジケーションを送信させるためのコードを含む。
【００１７】
さらに、態様では、１または複数のバンドルされたＴＴＩのうちの少なくとも１つにおいて、デバイスに割り当てるためのリソース・ブロックの一部を決定するためのリソース割当決定構成要素を含み、１または複数のデバイスにリソースを割り当てるための装置が提供される。この装置はさらに、デバイスに、リソース・ブロックの一部を示すインジケーションを送信するためのリソース割当構成要素を含む。
【００１８】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、このような態様およびこれらの均等物の全てを含むことが意図されている。
【図面の簡単な説明】
【００１９】
開示された態様は、以下において、同一符号が同一要素を示す添付図面と連携して説明され、開示された態様を、限定することなく、例示するために提供される。
【図１】図１は、無線ネットワークにおいて通信するために、リソース・ブロックの一部を利用するシステムの例例を例示する。
【図２】図２は、通信のためにデバイスにリソース・ブロックの一部を割り当てるためのシステムの例を例示する。
【図３】図３は、リソース・ブロックの一部を割り当てることに関連する帯域幅の一部の例を例示する。
【図４】図４は、リソース・ブロックの一部を１または複数のデバイスへ割り当てることに関連する帯域幅の一部の例を例示する。
【図５】図５は、本明細書に記載された態様にしたがうリソース・ブロックのセットの例を例示する。
【図６】図６は、信号を送信するためにリソース・ブロックの一部を利用する方法の例を例示する。
【図７】図７は、デバイスへリソース・ブロックの一部を割り当てる方法の例を例示する。
【図８】図８は、リソース・ブロックの割り当てられた一部で信号を送信するモバイル・デバイスの例を例示する。
【図９】図９は、デバイスにリソース・ブロックの一部を割り当てることを容易にするシステムの例を例示する。
【図１０】図１０は、信号を送信するためにリソース・ブロックの一部を利用するシステムの例を例示する。
【図１１】図１１は、デバイスにリソース・ブロックの一部を割り当てるためのシステムの例を例示する。
【図１２】図１２は、本明細書に記載されたさまざまな態様にしたがう無線通信システムの例を例示する。
【図１３】図１３は、本明細書で開示されたされたさまざまなシステムおよび方法と共に適用されうる無線ネットワーク環境の例を例示する。
【発明を実施するための形態】
【００２０】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されうることが明確である。
【００２１】
本明細書でさらに記載されるように、ＬＴＥにおけるデバイスは、１または複数の時間送信インタバル（ＴＴＩ）において信号を送信するため、リソース・ブロックの一部を割り当てられ、それを利用しうる。例えば、デバイスは、電力制限されうる。これは、デバイスが、リソース・ブロック全体の周波数を用いて信号を送信するための十分な電力を有していないことを意味しうる。したがって、このような電力制限された複数のデバイスは、１または複数の信号を送信するために、所与のＴＴＩまたはその一部内で、区分された、所与のリソース・ブロックの別の部分を割り当てられうる。さらに、電力制限されたデバイスは、１または複数のその後の連続したＴＴＩで、またはその一部で、類似のまたはその他のリソース・ブロックの一部を割り当てられうる。さらに、デバイスは、送信ダイバーシティを提供するホッピング・パターンにしたがって、複数のＴＴＩのおのおの等に対して、所与のＴＴＩ内で、所与のリソース・ブロック内で異なるリソース・ブロックの一部を割り当てられうる。本明細書に記載された態様では、現在のＬＴＥリソース割当と比較して、周波数の小さな部分しかデバイスに割り当てられていないが、複数のＴＴＩにおいて周波数をバンドリングすることによって、期間においてさらにデータを送信することが可能となる。そして、何れの場合も、デバイスは、電力制限によって、所与のＴＴＩにおいて、周波数の全体を使用することはできない。よって、リソース・ブロックの一部しか割り当てなくても、デバイス通信に大きな悪影響を及ぼさないことがある。
【００２２】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されうるか、および／または、２つ以上のコンピュータに分散されうる。さらに、これらの構成要素は、さまざまなデータ構造を格納したさまざまなコンピュータ読取可能な媒体から実行しうる。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信しうる。
【００２３】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００２４】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２５】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現することができる。ＵＴＲＡは、広帯域ＣＤＭＡ（Ｗ−ＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記述されている。さらに、ｃｄｍａ２０００およびＵＭＢは、「第３世代パートナシップ計画２」（３ＧＰＰ２）と命名された組織からの文書に記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２６】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２７】
図１を参照して、アップリンク送信のために、デバイスに１または複数のリソース・ブロックの一部を割り当てることを容易にする無線通信システム１００が例示されている。システム１００は、（例えば、無線ネットワークへのアクセスを受信するために）デバイス１０４と通信する基地局１０２を含む。基地局１０２は、マクロ・セル基地局、フェムト・セル基地局、ピコ・セル基地局、または類似の基地局、リレー・ノード、モバイル基地局、ピア・トゥ・ピア・モードまたはアド・ホック・モードで通信するデバイス、これらの一部等でありうる。デバイス１０４は、ＵＥ、モデム（または、その他のテザー・デバイス）、これらの一部等でありうる。例えば、デバイス１０４は、（例えば、ランダム・アクセスまたは類似の手順によって）基地局１０２との通信を確立し、基地局１０２と信号を通信するために、基地局１０２からリソース割当を受信しうる。
【００２８】
例えば、リソース割当は、基地局１０２と通信している複数のデバイス間で共有されうる、例えば、ＬＴＥにおける物理アップリンク共有チャネル（ＰＵＳＣＨ）のようなデータ・チャネルにおける時間リソースおよび周波数リソースの一部に関連しうる。ＬＴＥでは、例えば、基地局１０２は、信号を基地局へ送信するために、おのおののデバイスへ、少なくとも１つのＴＴＩにおて、少なくとも１つのリソース・ブロックを割り当てうる。ＴＴＩは、時間領域において１ミリ秒（ｍｓ）におよぶサブフレームでありうる。そして、ラジオ・フレームは、１０のサブフレームを含み、もって、１０ｍｓに及びうる。さらに、おのおののＴＴＩまたはサブフレームは、基地局１０２によって利用されるサイクリック・プレフィクスに依存して、おのおの６または７のデータ・シンボル（例えば、ＳＣ−ＦＤＭＡシンボル）を備える、２つの０．５ｍｓスロットを有しうる。さらに、基地局１０２は、デバイス１０４にフィードバックを送信するために、デバイス１０４のためのリソース割当間の８ｍｓを許容しうる。したがって、多くの設定では、デバイス１０４は、ＰＵＳＣＨで基地局１０２へ送信するために、８サブフレーム（例えば、または８ｍｓ）毎にリソース・ブロックを割り当てられる。さらに、リソース・ブロックは、スロットまたはサブフレームのデータ・シンボルに、周波数領域に多くのサブキャリアを備えうる。例えば、リソース・ブロックは、スロットまたはサブフレームにおいて、データ・シンボルに、１２のサブキャリアからなるセットを含みうる。さらに、サブキャリアはそれぞれ、実質的に１５キロヘルツ（ｋＨｚ）の周波数帯域を備え、これによって、リソース・ブロックは、１８０ｋＨｚを備えうる。
【００２９】
デバイス１０４は、電力制限されている場合、送信のためにリソース・ブロック全体を利用できる訳ではない。この点に関し、基地局１０２は、１または複数のＴＴＩにおいて、リソース・ブロックの一部（例えば、リソース・ブロックにおける１または複数のサブキャリア）を割り当て、デバイス１０４はこれによって送信しうる。図示するように、デバイス１０４は、ラジオ・フレーム１０６で基地局１０２へ信号を送信しうる。図示するように、ラジオ・フレーム１０６は、１０のＴＴＩ１０８に１０のリソース・ブロックを含みうる。基地局１０２は、バンドルされたＴＴＩ１１０において、リソース・ブロックの周波数部分（例えば、サブキャリアのフラクション）をデバイス１０４へ割り当てうる。そして、デバイスは、バンドルされたＴＴＩ１１０の間、リソース・ブロックの一部で、信号を送信しうる。この点に関し、デバイス１０４は、期間中、制限された帯域幅で送信する。基地局１０２は、割り当てられた帯域幅を最適化するために、バンドルされたＴＴＩの間、リソース・ブロックの別の部分を、電力制限された別のデバイスへ同様に割り当てうる。
【００３０】
したがって、デバイス１０４は、例えば、ボイス・オーバ・インターネット・プロトコル（ＶｏＩＰ）またはその他のストリーミングのような時間に影響を受けるアプリケーションのために、高いデータ・レートで効率的に通信するために、電力制限によって周波数のわずかな部分を用いてではあるが、複数のバンドルされたＴＴＩにおいて、基地局１０２へ信号を送信しうる。一例では、電力制限された４つのデバイスが、４つがバンドルされたＴＴＩ中、同じリソース・ブロックの別の部分で送信できるようにすることは、４つのリソース・ブロック全体のうちの１つを、電力制限されたデバイスのおのおのに割り当てることよりも有益でありうることが認識されるべきである。なぜなら、電力制限されたデバイスは、リソース・ブロックの帯域幅の全体を使用できる訳ではないからである。
【００３１】
図２に移って、１または複数の電力制限されたデバイスへリソースを割り当てることを容易にする無線通信システム２００の例が例示される。システム２００は、（例えば、無線ネットワーク・アクセスを提供するために）デバイス２０４と無線通信しうる基地局２０２を含む。基地局２０２は、マクロ・セル基地局、フェムト・セル基地局、ピコ・セル基地局、または類似の基地局、リレー・ノード、モバイル基地局、ピア・トゥ・ピア・モードまたはアド・ホック・モードのデバイス、これらの一部等でありうる。そして、デバイス２０４は、ＵＥ、モデム、これらの一部等でありうる。さらに、基地局２０２は、基地局２０２と通信する１または複数のデバイスが、電力制限されているかを識別するための、オプションの電力制限デバイス判定構成要素２０６と、１または複数のデバイスへ割り当てるためのリソースの一部を選択するためのリソース割当決定構成要素２０８と、１または複数のデバイスにリソース割当を通信するためのリソース割当構成要素２１０と、を備えうる。デバイス２０４は、基地局からリソース割当を取得するためのリソース割当受信構成要素２１２と、割り当てられたリソースで基地局と通信するための送信構成要素２１４と、割り当てられたリソースで通信することに関連するフィードバックを基地局から取得する、オプションのフィードバック受信構成要素２１６とを備えうる。
【００３２】
例によれば、リソース割当決定構成要素２０８は、デバイス２０４または他のデバイスの１または複数の態様に少なくとも部分的に基づいて、デバイス２０４に割り当てるべきリソースを決定しうる。一例では、電力制限デバイス判定構成要素２０６は、デバイス２０４が電力制限されているかを識別しうる。これは、例えば、デバイス２０４から、電力制限を示すインジケーションを受信することと、ネットワークまたは１または複数の他のデバイス（図示せず）からインジケーションを受信すること等を含みうる。また別の例では、電力制限デバイス判定構成要素２０６は、例えば信号強度等のように、以前の通信から測定された１または複数の特性に少なくとも部分的に基づいて、デバイス２０４が電力制限されていると判定しうる。ここでは、電力制限デバイス判定構成要素２０６が、デバイス２０４が電力制限されていると判定するか、あるいは、リソース割当決定構成要素２０８が、１または複数のバンドルされたＴＴＩにおいて、リソース・ブロックの一部を備える割当をデバイス２０４のために決定しうる。一例において、リソース割当決定構成要素２０８は、デバイスが電力制限されている程度に少なくとも部分的に基づいて、リソース・ブロックの一部のサイズを決定しうる。例えば、これは、デバイスが所与の期間で送信しうるサブキャリアの最大数を決定することと、サブキャリアの数にしたがって、リソース・ブロックの一部を割り当てることと、を含みうる。記載されているように、何れの場合も、リソース割当決定構成要素２０８はさらに、１または複数のバンドルされたＴＴＩの少なくとも一部において、リソース・ブロックの別の部分における、別のデバイスのための割当を決定しうる。
【００３３】
さらに、例えば、デバイス２０４の場合、送信ダイバーシティを提供するために、ＴＴＩ間ホッピングのためにバンドルされたＴＴＩのうちの別の１つにおけるものとは異なる１または複数のバンドルされたＴＴＩのうちの１つにおける、リソース・ブロックの異なる部分、または、異なるリソース・ブロックの別の部分を選択しうる。別の例では、デバイス２０４がさらなる周波数ダイバーシティまたは別の周波数ダイバーシティのため、ＴＴＩ内ホッピングを提供するために、リソース割当決定構成要素２０８は、リソース・ブロックの別の部分を選択しうるか、あるいは、ＴＴＩのうちの少なくとも１つ内の別のリソース・ブロックの他の部分（例えば、ＴＴＩのおのおののスロットにおけるリソース・ブロックの別の部分）を選択しうる。さらに、リソース割当決定構成要素２０８は、１または複数のラジオ・フレームにおいて、デバイス２０４のために、リソース・ブロックの別の部分を選択しうるか、あるいは、別のリソース・ブロックの一部を選択しうる。
【００３４】
これらの例では、リソース割当構成要素２１０は、デバイス２０４へリソース割当を示しうる。リソース割当受信構成要素２１２は、指定されたリソース割当を取得しうる。そして、送信構成要素２１４は、割り当てられたリソースで、基地局２０２と通信しうる。したがって、例えば、リソース割当受信構成要素２１２は、１または複数のバンドルされたＴＴＩにおいて、リソース・ブロックの一部を備えるリソース割当を取得しうる。そして、送信構成要素２１４は、１または複数のバンドルされたＴＴＩにおいて、リソース・ブロックの一部を用いて、基地局２０２へ信号を送信しうる。記載されているように、リソース割当受信構成要素２１２は、ＴＴＩ内の所与のサブフレームの別の部分において、１または複数のバンドルされたＴＴＩの複数の間で、あるいはラジオ・フレーム等においてホップするリソース割当を取得しうる。
【００３５】
さらに、例えば、リソース割当決定構成要素２０８は、オプションとして、デバイス２０４に割り当てられた１または複数のサブフレームの一部において受信された送信に関連するフィードバックを、デバイス２０４へ送信するためのリソースを選択しうる。例えば、リソース割当決定構成要素２０８は、リソース・ブロックの異なる部分を複数のデバイスへ割り当てうるので、リソース割当決定構成要素２０８は、１または複数のサブフレームのうちの一部のおのおののためのフィードバック・リソースを選択しうる。一例では、リソース割当決定構成要素２０８は、デバイス２０４へフィードバックを送信するための、サブフレーム内の後続するリソース・ブロックを選択しうる。ここで、複数のデバイスのフィードバックはおのおの、リソース・ブロックにおけるサブチャネルで送信されうる。別の例では、リソース割当決定構成要素２０８は、本明細書においてさらに記載されているように、フィードバックを送信するために、複数のデバイスのおのおのに、隣接サブフレームにおけるリソース・ブロック（または、関連するリソース割当）をマップしうる。リソース割当構成要素２１０は、フィードバック・リソースを示すインジケーションをデバイス２０４へ通信しうる。そして、リソース割当受信構成要素２１２は、このフィードバック・リソース・インジケーションを取得しうる。フィードバック受信構成要素２１６は、この例では、基地局２０２からフィードバックを受信するために、このインジケートされたフィードバック・リソースをモニタしうる。
【００３６】
図３を参照して、本明細書に記載された態様に関連する通信帯域幅３００の別の一部が例示されている。例えば、帯域幅３００は、基地局によって定義された、および／または、デバイスによって利用される、リソース割当に関連しうる。帯域幅３００は、ＴＴＩを形成しうる２つのスロット３０２，３０４を含みうる。記載されているように、ＬＴＥでは、スロット３０２，３０４はそれぞれ、通常のサイクリック・プレフィクスについて７つのデータ・シンボルを有しており（または、拡張されたサイクリック・プレフィクスについて６つのデータ・シンボルを有し）、０．５ミリ秒である。さらに、リソース・ブロック３０６が、各スロットにおいて示される。記載されているように、リソース・ブロックは、１つのスロットまたは両方のスロットにおいて、１２のサブキャリアを含みうる。帯域幅３００では、スロット３０２におけるリソース・ブロック３０６の一部は、電力制限されたデバイスへ割り当てられうる。これは、スロット３０２において同様に線引きされたボックスで示されたサブキャリア３０８を含みうる。さらに、スロット３０４では、サブキャリア３１０が、電力制限されたデバイスへ割り当てられうる。したがって、電力制限されたデバイスに割り当てられるリソースは、ＴＴＩのスロット間で異なるリソース・ブロックにホップする（例えば、ＴＴＩ内ホッピング）。別の例では、割り当てられたリソースは、スロット間で、リソース・ブロック３０６内でホップしうることが認識されるべきである。同様に、サブキャリア３１２、および、サブキャリア３１２上に同様にドットされたボックスは、基地局へ送信するために、別の電力制限されたデバイスへ割り当てられうる。サブキャリア３１４は、スロット３０４内の別の電力制限されたデバイスへ割り当てられうる。これは、ＴＴＩ内ホッピングを例示する。
【００３７】
図４を参照して、本明細書に記載された態様に関連する通信帯域幅４００の一部の例が例示されている。例えば、帯域幅４００は、基地局によって定義された、および／または、デバイスによって利用される、リソース割当に関連しうる。帯域幅４００は、２つの１ミリ秒のＴＴＩ４０２，４０４を含んでいる。記載されているように、ＬＴＥでは、ＴＴＩ４０２，４０４はおのおの、７つのデータ・シンボルを備える２つのスロット（ただし、ＴＴＩ４０４については、１つしか示されていない）を備えるサブフレームでありうる。さらに、リソース・ブロック４０６が各スロットにおいて示されている。記載されているように、リソース・ブロックは、ＴＴＩ４０２，４０４おのおのにおいて、１２のサブキャリアを含みうる。帯域幅４００では、ＴＴＩ４０２におけるリソース・ブロック４０６の一部は、電力制限されたデバイスへ割り当てられうる。これは、ＴＴＩ４０２において同様に線引きされたボックスで示されたサブキャリア４０８を含みうる。さらに、ＴＴＩ４０４では、サブキャリア４１０は電力制限されたデバイスに割り当てられうる。したがって、電力制限されたデバイスに割り当てられたリソースは、別のＴＴＩにおいてホップしうる（例えば、ＴＴＩ間ホッピング）。あるいは、割り当てられたリソースは、ＴＴＩ間で、リソース・ブロック内で交互にホップしうることが認識されるべきである。同様に、サブキャリア４１２、および、サブキャリア４０２上に同様にドットされたボックスは、基地局へ送信するために、別の電力制限されたデバイスへ割り当てられうる。サブキャリア４１４は、ＴＴＩ４０４において、別の電力制限されたデバイスへ割り当てられうる。これは、ＴＴＩ間ホッピングを例示する。
【００３８】
図５に移って、本明細書に記載された態様にしたがうリソース・ブロック５００，５０２のセットの例が例示されている。例えば、リソース・ブロック５００は、基地局によって定義された、および／または、基地局と通信している１または複数のデバイスによって利用されている、リソース割当の例を例示する。上述したように、リソース・ブロック５００はおのおのＴＴＩに存在しうる。リソース・ブロック５００は、電力制限されたデバイスに割り当てられた、複数のバンドルされたＴＴＩにおけるリソース・ブロックの部分５０４と、別の電力制限されたデバイスに割り当てられたリソース・ブロックの同様の部分５０６とを含みうる。この例では、基地局はさらに、リソース・ブロックの部分５０４、５０６に関するフィードバックを基地局から受信するために、ＴＴＩ５０８をデバイスおよび別のデバイスへ割り当てうる。一例では、基地局は、フィードバックを送信するためのサブチャネルをＴＴＩ５０８において割り当てうる。別の例では、基地局は、フィードバックを受信するためのリソース割当に関し、ＴＴＩ５０８において、リソース・ブロックの同様の部分を割り当てうる。
【００３９】
ＴＴＩ５０２は同様に、電力制限されたデバイスに割り当てられうる複数のバンドルされたＴＴＩにおけるリソース・ブロックの部分５１０と、別の電力制限されたデバイスに割り当てられうるリソース・ブロックの同様の部分５１２とを含みうる。この例では、基地局は、リソース・ブロックの一部５１２に関連するフィードバックを基地局から受信するために、ＴＴＩ５１４をデバイスへ割り当て、リソース・ブロックの一部５１２に関連するフィードバックを受信するために、ＴＴＩ５１６を別のデバイスへ割り当てうる。例えば、別のデバイスに割り当てられたリソース・ブロックの２つの追加部分と、フィードバックのために割り当てられた２つの対応する追加の後続ＴＴＴとが存在する場合、基地局は、上述したようなＬＴＥにおける８ミリ秒フィードバック要件に準拠し、後続するリソース・ブロックの一部をデバイスへ割り当てる。
【００４０】
図６−７に示すように、リソース・ブロックの一部をデバイスに割り当てることに関連する方法の例が例示される。説明を単純にする目的で、これら方法は、一連の動作として示され説明されているが、これら方法は、１または複数の実施形態にしたがって、いくつかの動作が本明細書で示され記載されたものとは異なる順序で、あるいは他の動作と同時に生じうるので、動作の順序によって限定されないことが理解され認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００４１】
図６を参照して、無線ネットワークにおける通信のために、リソース・ブロックの一部を利用することを容易にする方法６００の例が示される。６０２では、複数のバンドルされたＴＴＩにおいて、リソース・ブロックの一部を備えるリソース割当が受信される。例えば、リソース・ブロックの一部は、ＴＴＩのバンドルにおいて、データ・シンボルにわたる、ＬＴＥにおける１または複数のサブキャリアに対応しうる。６０４では、このリソース割当にしたがって、複数のバンドルされたＴＴＩにおいて、リソース・ブロックの一部で信号が送信されうる。記載されているように、例えば、追加のデバイスは、サブキャリアの別の部分を利用しうる。
【００４２】
図７に移って、リソース・ブロックの一部をデバイスへ割り当てることを容易にする方法７００の例が例示される。７０２では、１または複数のバンドルされたＴＴＩのうちの少なくとも１つにおいて、デバイスへ割り当てるためのリソース・ブロックの一部が決定されうる。記載されているように、リソース・ブロックの一部は、１または複数のバンドルされたＴＴＩにおいて、１または複数のデータ・シンボルにわたる、ＬＴＥにおける１または複数のサブキャリアに関連しうる。７０４では、リソース・ブロックの一部を示すインジケーションが、デバイスへ送信されうる。記載されているように、リソース・ブロックの一部に関連する再送信フィードバック・リソースを示すインジケーションもまた、デバイスへ送信されうる。
【００４３】
本明細書に記載された１または複数の態様によれば、記載されているように、推論は、デバイスが電力制限されているか否かを判定すること、１または複数のバンドルされたＴＴＩにおいて、デバイスへ割り当てるためのリソース・ブロックの一部を決定すること、等に関連してなされうることが認識されるであろう。本明細書で使用されるように、「推論する」または「推論」なる用語は一般に、イベントおよび／またはデータによって取得されたような観察のセットから、システム、環境、および／または、ユーザの状態の推論あるいはそれらに関連する推理のプロセスを称する。推論は、特定の文脈または動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。このような推論によって、イベントが時間的に近接していようといまいと、これらイベントおよびデータが１またはいくつかのイベント・ソースおよびデータ・ソースに由来していようと、観察されたイベントおよび／または格納されたイベント・データのセットから、新たなイベントまたは動作を構築することができる。
【００４４】
図８は、基地局と通信するために、リソース・ブロックの割り当てられた部分を利用することを容易にするモバイル・デバイス８００の例示である。モバイル・デバイス８００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機８０２を備えうる。受信機８０２は、受信したシンボルを復調し、それらをチャネル推定のためにプロセッサ８０６へ提供する復調器８０４を備えうる。プロセッサ８０６は、受信機８０２によって受信された情報を分析すること、および／または、送信機８０８による送信のための情報を生成することに特化されたプロセッサ、モバイル・デバイス８００の１または複数の構成要素を制御するプロセッサ、および／または、受信機８０２によって受信された情報を分析することと、送信機８０８による送信のための情報を生成することと、モバイル・デバイス８００のうちの１または複数の構成要素を制御することとのすべて行うプロセッサでありうる。
【００４５】
モバイル・デバイス８００さらに、プロセッサ８０６に動作可能に接続されたメモリ８１０を備えうる。このメモリ８１０は、送信されるデータ、受信したデータ、利用可能なチャネルに関連する情報、分析された信号および／または干渉強度に関連付けられたデータ、割り当てられたチャネルや電力やレート等に関連する情報、および、チャネルの推定およびチャネルを介した通信のために適切なその他任意の情報を格納しうる。メモリ８１０はさらに、（例えば、パフォーマンス・ベース、容量ベース等での）チャネルの推定および／または利用に関連付けられたアルゴリズムおよび／またはプロトコルを格納しうる。
【００４６】
本明細書に記載されたデータ・ストア（例えば、メモリ８１０）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。主題となるシステムおよび方法のメモリ８１０は、限定される訳ではないが、これらおよびその他任意の適切なタイプのメモリを備えることが意図される。
【００４７】
プロセッサ８０６はさらに、オプションとして、リソース割当受信構成要素２１２に類似しうるリソース割当受信構成要素８１２と、送信構成要素２１４に類似しうる送信構成要素８１４と、フィードバック受信構成要素２１６に類似しうるフィードバック受信構成要素８１６と、に動作可能に接続されうる。モバイル・デバイス８００はさらに、送信機８０８による、例えば基地局、他のモバイル・デバイス等への送信のための信号を変調する変調器８１８を備える。プロセッサ８０６と別に示されてるが、リソース割当受信構成要素８１２、送信構成要素８１４、フィードバック受信構成要素８１６、復調器８０４、および／または、変調器８１８は、プロセッサ８０６または複数のプロセッサ（図示せず）の一部でありうることが認識されるべきである。
【００４８】
図９は、通信を受信するためにデバイスへリソース・ブロックの一部を割り当てることを容易にするシステム９００の例示である。システム９００は、（例えば、記載されているように、複数のネットワーク技術のものでありうる）複数の受信アンテナ９０６を介して１または複数のモバイル・デバイス９０４から信号（単数または複数）を受信する受信機９１０と、（例えば、記載されているように、複数のネットワーク技術のものでありうる）複数の送信アンテナ９０８を介して１または複数のモバイル・デバイス９０４へ送信する送信機９３０とを有する、実質的に任意の基地局（例えば、フェムトセル、ピコセル、マクロ・セル等、中継ノード、モバイル基地局・・のような小規模の基地局）でありうる基地局９０２を備える。さらに、一例において、送信機９２６は、有線フロント・リンクを介してモバイル・デバイス９０４へ送信しうる。受信機９１０は、１または複数の受信アンテナ９０６から情報を受信する。さらに、受信した情報を復調する復調器９１２と動作可能に関連付けられている。さらに、例において、受信機９１０は、有線バックホール・リンクから受信しうる。復調されたシンボルは、信号（例えば、パイロット）強度および／または干渉強度、モバイル・デバイス９０４（または、（図示しない）別の基地局）との間で送受信されうるデータ、および／または、本明細書に記載されたさまざまな動作および機能を実行することに関連するその他任意の情報を推定することに関連する情報を格納するメモリ９１６に接続され、図８に関連して上述されたプロセッサに類似しうるプロセッサ９１４によって分析されうる。
【００４９】
プロセッサ９１４はさらにオプションとして、電力制限デバイス決定構成要素２０６に類似しうる電力制限デバイス決定構成要素９１８と、リソース割当決定構成要素２０８に類似しうるリソース割当決定構成要素９２０と、ネットワーク割当構成要素２１０に類似しうるリソース割当構成要素９２２と、に接続されうる。さらに、例えば、プロセッサ９１４は、送信される信号を、変調器９２４を用いて変調し、変調された信号を、送信機９２６を用いて送信しうる。送信機９２６は、送信アンテナ９０８を介してモバイル・デバイス９０４へ信号を送信しうる。さらに、プロセッサ９１４と別に示されているが、電力制限デバイス決定構成要素９１８、リソース割当決定構成要素９２０、リソース割当構成要素９２２、復調器９１２、および／または、変調器９２４は、プロセッサ９１４または複数のプロセッサ（図示せず）のうちの一部でありうることが認識されるべきである。
【００５０】
図１０を参照して、無線ネットワークにおいて通信するためにリソース・ブロックの一部を利用することを容易にするシステム１０００が例示される。例えば、システム１０００は、基地局、モバイル・デバイスなどの中に少なくとも部分的に存在しうる。システム１０００は、プロセッサ、ソフトウェア、またはこれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、複数のバンドルされたＴＴＩにおいて、リソース・ブロックの一部を備えるリソース割当を受信するための電子構成要素１００４を含みうる。
【００５１】
さらに、論理グループ１００２は、リソース割当にしたがって、複数のバンドルされたＴＴＩにおいて、リソース・ブロックの一部で信号を送信するための電子構成要素１００６を備えうる。例えば、電子構成要素１００４は、リソース割当受信構成要素２１２を含みうる。さらに、例えば、電子構成要素１００６は、態様において、送信構成要素２１４を含みうる。さらに、システム１０００は、電子構成要素１００４，１００６に関連付けられた機能を実行するための命令群を保持するメモリ１００８を含みうる。メモリ１００８の外側にあると示されているが、電子構成要素１００４，１００６のうちの１または複数は、メモリ１００８内に存在しうることが理解されるべきである。
【００５２】
一例において、電子構成要素１００４，１００６は、少なくとも１つのプロセッサを含みうる。または、電子構成要素１００４，１００６のおのおのは、少なくとも１つのプロセッサの対応するモジュールでありうる。さらに、追加のまたは代わりの例において、電子構成要素１００４，１００６は、コンピュータ読取可能な媒体を備えるコンピュータ・プログラム製品でありうる。ここで、おのおのの電子構成要素１００４，１００６は、対応するコードでありうる。
【００５３】
図１１を参照して、通信のためにデバイスへリソース・ブロックの一部を割り当てるシステム１１００が例示される。例えば、システム１１００は、基地局、モバイル・デバイス等の中に少なくとも部分的に存在しうる。システム１１００は、プロセッサ、ソフトウェア、またはこれらの組み合わせ（例えば、ファームウェア）によって実現される機能を表す機能ブロックでありうる機能ブロックを含むものとして示されることが認識されるべきである。システム１１００は、連携して動作しうる電子構成要素の論理グループ１１０２を含む。例えば、論理グループ１１０２は、１または複数のバンドルされたＴＴＩのうちの少なくとも１つにおいて、デバイスへ割り当てるためのリソース・ブロックの一部を決定するための電子構成要素１１０４を含みうる。さらに、論理グループ１１０２は、リソース・ブロックの一部を示すインジケーションをデバイスへ送信するための電子構成要素１１０６を備えうる。
【００５４】
例えば、電子構成要素１１０４は、リソース割当決定構成要素２０８を含みうる。さらに、例えば、電子構成要素１１０６は、態様において、リソース割当構成要素２１０を含みうる。さらに、システム１１００は、電子構成要素１１０４，１１０６に関連付けられた機能を実行するための命令群を保持するメモリ１１０８を含みうる。メモリ１１０８の外側にあると示されているが、電子構成要素１１０４，１１０６のうちの１または複数は、メモリ１１０８内に存在しうることが理解されるべきである。
【００５５】
一例において、電子構成要素１１０４，１１０６は、少なくとも１つのプロセッサを含みうる。または、電子構成要素１１０４，１１０６のおのおのは、少なくとも１つのプロセッサの対応するモジュールでありうる。さらに、追加のまたは代わりの例において、電子構成要素１１０４，１１０６は、コンピュータ読取可能な媒体を備えるコンピュータ・プログラム製品でありうる。ここで、おのおのの電子構成要素１１０４，１１０６は、対応するコードでありうる。
【００５６】
図１２に示すように、本明細書に記載されたさまざまな実施形態にしたがった無線通信システム１２００が例示されている。システム１２００は、複数のアンテナ・グループを含みうる基地局１２０２を含む。例えば、１つのアンテナ・グループは、アンテナ１２０４およびアンテナ１２０６を含むことができ、別のグループはアンテナ１２０８およびアンテナ１２１０を備えることができ、さらに別のグループはアンテナ１２１２およびアンテナ１２１４を含むことができる。おのおののアンテナ・グループについて２本のアンテナしか例示されていないが、２本より多いアンテナ、または２本より少ないアンテナも、各グループのために利用されうる。基地局１２０２はさらに、送信機チェーンおよび受信機チェーンを含みうる。これらのおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００５７】
基地局１２０２は、例えばモバイル・デバイス１２１６およびモバイル・デバイス１２２２のような１または複数のモバイル・デバイスと通信しうる。しかしながら、基地局１２０２は、モバイル・デバイス１２１６およびモバイル・デバイス１２２２に類似した実質的に任意の数のモバイル・デバイスと通信しうることが理解されるべきである。モバイル・デバイス１２１６，１２２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１２００を介して通信するのに適切なその他任意のデバイスでありうる。図示するように、モバイル・デバイス１２１６は、アンテナ１２１２およびアンテナ１２１４と通信している。ここで、アンテナ１２１２およびアンテナ１２１４は、順方向リンク１２１８によってモバイル・デバイス１２１６へ情報を送信し、逆方向リンク１２２０によってモバイル・デバイス１２１６から情報を受信する。さらに、モバイル・デバイス１２２２はアンテナ１２０４およびアンテナ１２０６と通信している。ここで、アンテナ１２０４およびアンテナ１２０６は、順方向リンク１２２４でアクセス端末１２２２へ情報を送信し、逆方向リンク１２２６でアクセス端末１２２２から情報を受信する。周波数分割デュプレクス（ＦＤＤ）システムでは、例えば、順方向リンク１２１８は、逆方向リンク１２２０によって使用されるものとは異なる周波数帯域を使用し、順方向リンク１２２４は、逆方向リンク１２２６によって使用されるものとは異なる周波数帯域を使用しうる。さらに、時分割デュプレクス（ＴＤＤ）システムでは、順方向リンク１２１８および逆方向リンク１２２０は、共通の周波数帯域を使用し、順方向リンク１２２４および逆方向リンク１２２６は、共通の周波数帯域を使用しうる。
【００５８】
通信するように指定された領域および／またはアンテナのおのおののグループは、基地局１２０２のセクタと称されうる。例えば、基地局１２０２によってカバーされる領域のセクタ内のアクセス端末に通信するように、複数のアンテナが設計されうる。順方向リンク１２１８および順方向リンク１２２４による通信では、基地局１２０２の送信アンテナは、モバイル・デバイス１２１６およびモバイル・デバイス１２２２のための順方向リンク１２１８および順方向リンク１２２４の信号対雑音比を改善するためにビームフォーミングを適用しうる。また、基地局１２０２が、関連付けられた有効通信範囲にランダムに散在したモバイル・デバイス１２１６，１２２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１２１６，１２２２は、図示するように、ピア・トゥ・ピアまたはアド・ホック技術を用いて互いにダイレクトに通信しうる。例によれば、システム１２００は、複数入力複数出力（ＭＩＭＯ）通信システムでありうる。
【００５９】
図１３は、無線通信システム１３００の例を示す。無線通信システム１３００は、簡潔さの目的で、１つの基地局１３１０と１つのモバイル・デバイス１３５０とを示している。しかしながら、システム１３００は、１より多い基地局、および／または、１より多いモバイル・デバイスを含むことができ、これら追加の基地局および／またはモバイル・デバイスは、以下に説明する基地局１３１０およびモバイル・デバイス１３５０の例と実質的に同じでも、別のものでもありうることが認識されるべきである。それに加えて、基地局１３１０および／またはモバイル・デバイス１３５０は、その間の無線通信を容易にするために、本明細書に記載されたシステム（図１−２、９−１２）、設定された帯域幅（図３−５）、モバイル・デバイス（図８）、および／または、方法（図６−７）を適用しうることが認識されるべきである。例えば、本明細書に記載されたシステムおよび／または方法の構成要素または機能は、以下に記載されるメモリ１３３２および／またはメモリ１３７２であるか、プロセッサ１３３０および／またはプロセッサ１３７０の一部でありうるか、および／または、以下に記載された機能を実行するためにプロセッサ１３３０および／またはプロセッサ１３７０によって実行されうる。
【００６０】
基地局１３１０では、多くのデータ・ストリームのためのトラフィック・データが、データ・ソース１３１２から送信（ＴＸ）データ・プロセッサ１３１４へ提供される。例によれば、おのおののデータ・ストリームが、それぞれのアンテナを介して送信される。ＴＸデータ・プロセッサ１３１４は、トラフィック・データ・ストリームをフォーマットし、このデータ・ストリームのために選択された特定の符号化スキームに基づいて符号化し、インタリーブして、符号化されたデータを提供する。
【００６１】
おのおののデータ・ストリームの符号化されたデータは、直交周波数分割多重（ＯＦＤＭ）技術を用いてパイロット・データと多重化されうる。さらに、あるいは、この代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１３５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１３３０によって実行または提供される命令によって決定されうる。
【００６２】
データ・ストリームの変調シンボルは、（例えば、ＯＦＤＭのために）変調シンボルを処理するＴＸ  ＭＩＭＯプロセッサ１３２０に提供される。ＴＸ  ＭＩＭＯプロセッサ１３２０はその後、ＮＴ個のシンボル・ストリームを、ＮＴ個の送信機（ＴＭＴＲ）１３２２ａ乃至１３２２ｔへ提供する。さまざまな実施形態において、ＴＸ  ＭＩＭＯプロセッサ１３２０は、データ・ストリームのシンボル、および、そのシンボルが送信されるアンテナへ、ビームフォーミング重みを適用する。
【００６３】
おのおのの送信機１３２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１３２２ａ乃至１３２２ｔからのＮＴ個の変調信号は、ＮＴ個のアンテナ１３２４ａ乃至１３２４ｔそれぞれから送信される。
【００６４】
モバイル・デバイス１３５０では、送信された変調信号が、ＮＲ個のアンテナ１３５２ａ乃至１３５２ｒによって受信され、各アンテナ１３５２からの受信信号が、それぞれの受信機（ＲＣＶＲ）１３５４ａ乃至１３５４ｒへ提供される。おのおのの受信機１３５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６５】
ＲＸデータ・プロセッサ１３６０は、ＮＲ個の受信機１３５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１３６０は、検出されたおのおののシンボル・ストリームを復調し、デインタリーブし、復号して、このデータ・ストリームのためのトラフィック・データを復元する。ＲＸデータ・プロセッサ１３６０による処理は、基地局１３１０におけるＴＸ  ＭＩＭＯプロセッサ１３２０およびＴＸデータ・プロセッサ１３１４によって実行されるものと相補的である。
【００６６】
逆方向リンク・メッセージは、通信リンクおよび／または受信されたデータ・ストリームに関するさまざまなタイプの情報を備えうる。逆方向リンク・メッセージは、データ・ソース１３３６から多くのデータ・ストリームのトラフィック・データをも受信するＴＸデータ・プロセッサ１３３８によって処理され、変調器１３８０によって変調され、送信機１３５４ａ乃至１３５４ｒによって調整され、基地局１３１０へ送り戻される。
【００６７】
基地局１３１０では、モバイル・デバイス１３５０からの変調信号が、アンテナ１３２４によって受信され、受信機１３２２によって調整され、復調器１３４０によって復調され、ＲＸデータ・プロセッサ１３４２によって処理されて、モバイル・デバイス１３５０によって送信された逆方向リンク・メッセージが抽出される。さらに、プロセッサ１３３０は、ビームフォーミング重みを決定するためにどのプリコーディング行列を使用するかを決定するために、この抽出されたメッセージを処理する。
【００６８】
プロセッサ１３３０およびプロセッサ１３７０は、基地局１３１０およびモバイル・デバイス１３５０それぞれにおける動作を指示（例えば、制御、調整、管理等）する。プロセッサ１３３０およびプロセッサ１３７０はそれぞれ、プログラム・コードおよびデータを格納するメモリ１３３２およびメモリ１３７２に関連付けられうる。プロセッサ１３３０およびプロセッサ１３７０はまた、アップリンクおよびダウンリンクそれぞれのための周波数およびインパルス応答推定値を導出する計算をも実行する。
【００６９】
本明細書で開示された実施形態に関連して記述されたさまざまな例示的なロジック、論理ブロック、モジュール、構成要素、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在しうる。あるいは、プロセッサおよび記憶媒体は、ユーザ端末内のディスクリートな構成要素として存在しうる。
【００７０】
１または複数の態様では、説明された機能、方法、またはアルゴリズムが、ハードウェア、ソフトウェア、ファームウェア、またはこれらの任意の組み合わせで実現されうる。ソフトウェアで実現される場合、これら機能は、コンピュータ・プログラム製品に組み込まれうるコンピュータ読取可能な媒体上のコード、または、１または複数の命令群として格納または送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる任意の利用可能な媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。また、実質的に任意の接続が、コンピュータ読取可能な媒体と称されうる。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能な媒体の範囲内に含まれるべきである。
【００７１】
前述した開示は、例示的な態様および／または実施形態を開示しているが、さまざまな変更および修正が、特許請求の範囲で定義されたような説明された態様および／または実施形態の範囲から逸脱することなくなされうる  ことが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2013517692.tif 000003
【図２】
2013517692.tif 000004
【図３】
2013517692.tif 000005
【図４】
2013517692.tif 000006
【図５】
2013517692.tif 000007
【図６】
2013517692.tif 000008
【図７】
2013517692.tif 000009
【図８】
2013517692.tif 000010
【図９】
2013517692.tif 000011
【図１０】
2013517692.tif 000012
【図１１】
2013517692.tif 000013
【図１２】
2013517692.tif 000014
【図１３】
2013517692.tif 000015
【国際調査報告】
2013517692.tif 000016
2013517692.tif 000017
2013517692.tif 000018
2013517692.tif 000019